(57)【要約】【課題】口内に挿入される筒状部材の先端下部に形成した舌抑制片によって口内の舌の動きを抑制し、口内の気管内チューブや吸引カテーテルの動きを舌によって妨げるのを防ぎ、また、口の挿入付近の直前の外側で気管内チューブが簡単にずれるのを防いでトラブルの発生を未然に防止する。【解決手段】筒状部材２、この筒状部材２の両側面に形成されたガイド溝３、筒状部材２の上下両面に並設された線状小突起４、筒状部材２の周回りに形成されたストッパー突起片５、ストッパー突起片５の左右両側に形成された係合蟻溝６、及び筒状部材２の先端下部に形成された舌抑制片７からなる。【選択図】        図１
2012024393.tif 000002
【特許請求の範囲】
【請求項１】
軸芯方向に向けて貫通孔が穿設された筒状部材の両側面に、その軸芯方向に向けて気管内チューブを沿わせるガイド溝をそれぞれ形成し、握ったときに滑り抵抗となる左右幅方向に横長な複数の線状小突起を上記筒状部材の上下両面にその軸芯方向に向けてそれぞれ並設し、筒状部材の先端側口内挿入時の通常位置で口の外側に位置するストッパー突起片を筒状部材の周回りに形成し、上記ガイド溝と同じ側となる上記ストッパー突起片の左右両側に口の外側に位置する気管内チューブの一部を係合する係合蟻溝をそれぞれ形成し、口内に挿入される筒状部材の先端下部に前方斜め下向きに緩やかに曲がる舌抑制片を形成したことを特徴とする気管内チューブ保護器。
【請求項２】
ストッパー突起片は前後に間隔をあけて２個形成されている請求項１記載の気管内チューブ保護器。
【請求項３】
筒状部材、ストッパー突起片及び舌抑制片は合成樹脂からなる請求項１記載の気管内チューブ保護器。
【発明の詳細な説明】
【技術分野】
【０００１】
この発明は、一般に使用者の意識のない状況下で口から体内に挿入して使用される気管内チューブを保護する気管内チューブ保護器に関するものである。
【背景技術】
【０００２】
一般に使用者の意識のない状況下で口から体内に挿入して使用される気管内チューブを保護する器具として、特許文献１（実用新案登録第３０７０５２７号）の「合成樹脂からなる気管内チューブ保護材」の考案が出願されている。
この合成樹脂からなる気管内チューブ保護材は、合成樹脂からなる気管内チューブ保護器において、貫通孔（Ｋ）が穿設されるペンシル状の略四角柱からなり、一対の側面部において気管内チューブ（Ｘ）をあてがう弧状溝部（１Ａ）が一方側面部（Ａ）に形成されると共に他方側面部（Ｂ）に弧状溝部（１Ｂ）と線状切欠き部（２）が形成されており、他の一対の側面部（Ｃ，Ｄ）において線状突起物（３）が複数個並列に設けられると共に扇状片（４）が突設されることを構造上の特徴としている。
そして、気管内チューブ保護材を硬質な合成樹脂からなるものとし、ディスポザブル、すなわち使い捨て品とすることにより、リユースされていた場合での医療機関の洗浄、滅菌等の労力を皆無とさせることが可能となる。また、線状切り欠き部硬質の合成樹脂製であっても使用上の違和感を回避することができる等の効果を備えている。
【先行技術文献】
【特許文献】
【０００３】
【特許文献１】実用新案登録第３０７０５２７号
【発明の概要】
【発明が解決しようとする課題】
【０００４】
この合成樹脂からなる気管内チューブ保護材はその先端側を口内に挿入し、挿入された部分を上下の歯で噛んで使用する。上下の歯はこれを噛むことで固定されるが、その際舌の動きについてこれを抑制する構造になっていない。このため、気管内チューブ保護材の側面の弧状溝部に沿って挿入されている口内の気管内チューブの動きを誤って舌で妨げてしまうおそれがあった。
また、気管内チューブは気管内チューブ保護材の左右側面に形成された弧状溝部に沿って挿入されているに過ぎず固定されていない。口内では保護材の側面の弧状溝部に沿わせることで気管内チューブがずれることはないが、気管内チューブは固定されていないので口の挿入付近の直前の外側でずれることもあり、ずれることで口内の気管内チューブもその影響を受けて挿入がスムーズに行えないおそれがあった。
【０００５】
この発明は、上記のような課題に鑑み、その課題を解決すべく創案されたものであって、その目的とするところは、口内に挿入される筒状部材の先端下部に形成した舌抑制片によって口内の舌の動きを抑制し、口内の気管内チューブや吸引カテーテルの動きを舌によって妨げるのを防ぎ、また、口の挿入付近の直前の外側で気管内チューブが簡単にずれるのを防いでトラブルの発生を未然に防止することのできる気管内チューブ保護器を提供することにある。
【課題を解決するための手段】
【０００６】
以上の課題を達成するために、請求項１の発明は、軸芯方向に向けて貫通孔が穿設された筒状部材の両側面に、その軸芯方向に向けて気管内チューブを沿わせるガイド溝をそれぞれ形成し、握ったときに滑り抵抗となる左右幅方向に横長な複数の線状小突起を上記筒状部材の上下両面にその軸芯方向に向けてそれぞれ並設し、筒状部材の先端側口内挿入時の通常位置で口の外側に位置するストッパー突起片を筒状部材の周回りに形成し、上記ガイド溝と同じ側となる上記ストッパー突起片の左右両側に口の外側に位置する気管内チューブの一部を係合する係合蟻溝をそれぞれ形成し、口内に挿入される筒状部材の先端下部に前方斜め下向きに緩やかに曲がる舌抑制片を形成した手段よりなるものである。
【０００７】
また、請求項１の発明の好ましい態様として、ストッパー突起片は前後に間隔をあけて２個形成され、筒状部材、ストッパー突起片及び舌抑制片は合成樹脂からなる。
【発明の効果】
【０００８】
課題を解決するための手段よりなるこの発明に係る気管内チューブ保護器によれば、口内に挿入される筒状部材の先端下部に斜め下向きに緩やかに曲がる舌抑制片を形成したことにより、この舌抑制片によって口内の舌の動きを抑制でき、口内の気管内チューブや吸引カテーテルの動きを舌によって妨げるのを防ぐことができる。
また、ストッパー突起片の左右両側に係合蟻溝を形成したことにより、この係合蟻溝に口の外側に位置する気管内チューブの一部を係合することよって口の外側の該チューブを固定でき、口の挿入付近の直前の外側で気管内チューブがずれるのを防いで、外側でずれることによって、気管内チューブの体内への挿入作業がスムーズに行われなくなることや挿入していた気管内チューブが抜け出ることなどのトラブルの発生を未然に防止することができる等、極めて新規的有益なる効果を奏するものである。
【０００９】
また、請求項２のように、ストッパー突起片を前後に間隔をあけて２個形成されている場合には、１個場合に比べて気管内チューブは２箇所で固定されるので、気管内チューブが傾いたり或いは簡単にずれることがない。このため、体内に挿入した気管内チューブが動かないように粘着テープを巻き付けて気管内チューブ保護器の筒状部材に固定する作業は容易となり、気管内チューブを筒状部材に粘着テープを使って簡単に固定することができる。
【００１０】
また、請求項３のように、筒状部材、ストッパー突起片及び舌抑制片は合成樹脂からなる場合には、気管内チューブが保持される気管内チューブ保護器はゴムのように簡単に変形したりせず、叉無意識に人が強く噛んでも破片がでることもない。
【図面の簡単な説明】
【００１１】
【図１】この発明を実施するための形態を示す気管内チューブ保護器の斜視図である。
【図２】この発明を実施するための形態を示す気管内チューブ保護器の側面図である。
【図３】この発明を実施するための形態を示す気管内チューブ保護器の平面図である。
【図４】図２のＡ−Ａ矢視図である。
【図５】図２のＢ−Ｂ矢視図である。
【図６】この発明を実施するための形態を示す気管内チューブ保護器に気管内チューブ及び吸引カテーテルを装着したときの斜視図である。
【図７】この発明を実施するための形態を示す気管内チューブ保護器を口内に挿入したときの使用説明図である。
【発明を実施するための形態】
【００１２】
以下、図面に記載の発明を実施するための形態に基づいて、この発明をより具体的に説明する。
【００１３】
この発明に係る気管内チューブ保護器１は、一般に使用者の意識のない状況下で口から体内に挿入して使用される気管内チューブａを保護する器具で、口内にその先端側を挿入して使用され、口内の気管内チューブａや吸引カテーテルｂの動きを舌ｃによって妨げるのを防ぎ、また、口の挿入付近の直前の外側で気管内チューブａが簡単にずれるのを防いでトラブルの発生を未然に防止できる特徴を備えている。
【００１４】
図において、上記のような特徴を有する気管内チューブ保護器１は、貫通孔２１が形成された筒状部材２、この筒状部材２の両側面に形成されたガイド溝３、筒状部材２の上下両面に並設された横長な線状小突起４、筒状部材２の周回りに形成されたストッパー突起片５、ストッパー突起片５の左右両側に形成された係合蟻溝６、及び筒状部材２の先端下部に形成された舌抑制片７などから主に構成されている。
【００１５】
筒状部材２は、気管内チューブ保護器１の本体部分を構成する部分で、その外形は例えば外周断面略四角形の形状を有している。断面略四角形の各角部は丸みを帯びた形状に形成されていて、口内を傷つけない構造になっている。筒状部材２は歯で強く噛んでも破片がでない例えば合成樹脂製のものから造られている。
【００１６】
筒状部材２はその断面中央部分に、筒状部材２の長さ方向となる軸芯方向に向けて貫通孔２１が穿設されている。貫通孔２１はその開口する一端が筒状部材２の口内に挿入される先端側に形成され、開口する他端は筒状部材２の口の外側となる後端側に形成されている。この貫通孔２１は吸引カテーテルｂの挿通用の孔として利用される。図面では貫通孔２１は円形孔であるがこの円形孔には限定されるものではなく、要は吸引カテーテルｂが挿通できる孔形状であればどのような形状でもよい。
【００１７】
ガイド溝３は、口の外側から口内に気管内チューブａを沿わせて導く場合の案内路として使用されるもので、筒状部材２の両側面に該筒状部材２の長さ方向つまり軸芯方向に向けて形成されている。ガイド溝３は筒状部材２の外周断面略四角形の形状を有する左右両側面に例えば凹型弧状断面に形成されている。凹型弧状断面として例えば凹型の円弧状の断面に形成されている。
【００１８】
すなわち、左右のガイド溝３は、例えば中央の貫通孔２１に向かって凹型弧状に窪んだ断面形状に形成されていて、この凹型弧状の窪みに沿わせて気管内チューブａが取り付けられて口の外側から口内に挿入されるようになっている。このため、このガイド溝３に沿わせることで気管内チューブａは、筒状部材２の側面箇所で上下にぶれるのが回避されて口内でずれるのが防がれる。
【００１９】
線状小突起４は、手で筒状部材２を握ったときに滑り抵抗となって、掌内で筒状部材２が汗などによって前後に滑るのを防ぐ役目を果たすものである。しっかりと手で握ることで挿入されている筒状部材２の先端側が口内で前後に移動するのを阻止することで、口内が筒状部材２或いは筒状部材２に沿って取り付けられた気管内チューブａや吸引カテーテルｂによって傷ついたり、体内に挿入した気管内チューブａや吸引カテーテルｂがずれたりするのを防ぐものである。
【００２０】
線状小突起４は、手で筒状部材２を握ったときにこの筒状部材２が前後方向に移動しないような滑り抵抗となるように、筒状部材２の外周断面略四角形の上面側及び下面側に、筒状部材２の軸芯方向に向けて前後向きにそれぞれ複数個並設されている。線状小突起４は、筒状部材２の軸芯方向に対して前後に一定の間隔をあけて複数個形成されている。図面では上下両面にそれぞれ例えば５個ずつ形成されている。
【００２１】
各線状小突起４は筒状部材２の上面及び下面の表面から突起していて、手で筒状部材２を握ったときにこの突起した部分が滑り抵抗になるのである。つまり、幅方向に形成された線状小突起４の間に指を幅方向に向けて筒状部材２を握ることで、指は前後の線状小突起４の間に入って筒状部材２が前後方向にずれるのを防ぐことができる。各線状小突起４は、筒状部材２の外周断面略四角形の上面側及び下面側の左右幅方向に向けて形成されていて、つまり横長になっている。また、各線状小突起４は例えば蒲鉾形の形状をしていて、その蒲鉾形の向きは横向き、つまり筒状部材２の左右幅方向に向いている。
【００２２】
ストッパー突起片５は、口内に挿入した筒状部材２を誤って飲み込むのを防ぐ役目を果たすもので、筒状部材２の先端側口内挿入時の通常位置で口の外側に位置する箇所の筒状部材２の周回り方向に形成されている。このストッパー突起片５が口の周囲に当たることによって、筒状部材２を誤って飲み込むことが防がれる。
【００２３】
ストッパー突起片５は筒状部材２の周回り方向の外周断面略四角形の例えば上面側及び下面側の表面から、上向き及び下向きにそれぞれ突起して形成されている。ストッパー突起片５は例えば合成樹脂製のものから造られていて、筒状部材２と一体成形されており、一体化されている。
【００２４】
ストッパー突起片５は、筒状部材２の長さ方向つまり軸芯方向に少し間をあけて前後２箇所に形成されている。このうち、筒状部材２の先端側寄りとなる前部ストッパー突起片５１は前記の線状小突起４より後方側に形成されている。前部ストッパー突起片５１はその上半分側及び下半分側がそれぞれ略円弧状或いは略扇形状に形成されている。この上半分側と下半部側との境目部分となる左右両側には係合蟻溝６が形成されていて、その係合蟻溝６を挟んで上下に分かれている。
【００２５】
筒状部材２の後端側寄りとなる後部ストッパー突起片５２は、前部ストッパー突起片５１の後方側に少し間をあけて形成されている。この前後の間は、前部及び後部ストッパー突起片５１，５２の前後の係合蟻溝６の間に係合される気管内チューブａを筒状部材２に粘着テープを使って簡単に固定する場合に、粘着テープを巻き付けるスペースつまり粘着テープ幅より少し広めの間隔である。
【００２６】
後部ストッパー突起片５２はその上半分側及び下半分側がそれぞれ略円弧状或いは略扇形状に形成されている。この上半分側と下半部側との境目部分となる左右両側には係合蟻溝６が形成されていて、その係合蟻溝６を挟んで上下に分かれている。また、上半分側及び下半部側は、その真ん中に上下向きにそれぞれ形成された縦溝５２ａによって左右に２分割されている。さらに上下の各縦溝５２ａは筒状部材２の上下両面の表面に接する側が筒状部材２の幅方向にそれぞれ形成された横溝５２ｂに連通している。
【００２７】
後部ストッパー突起片５２が形成される箇所の筒状部材２は、この縦溝５２ａ及び横溝５２ｂによって、後部ストッパー突起片５２との連結部分の面積が少なくなっている。これにより、筒状部材２は前部ストッパー突起片５１の形成箇所に比べて後部ストッパー突起片５２の形成箇所で後部ストッパー突起片５２による変形阻止の影響をうけにくい構造になっている。
【００２８】
係合蟻溝６は、筒状部材２の左右両側面に形成された前記ガイド溝３に沿って取り付けられる気管内チューブａの一部を、ガイド溝３と同じ側となる前記の前部ストッパー突起片５１及び後部ストッパー突起片５２の左右両側に、その口の外側の位置に係合して動かないようにする役目を果たす。
【００２９】
係合蟻溝６は、前記ガイド溝３と同じ側となる前部ストッパー突起片５１及び後部ストッパー突起片５２の左右両側にそれぞれ形成されている。左右の各係合蟻溝６は筒状部材２の左右両側面に形成された前記ガイド溝３の途中に設けられている。左右の係合蟻溝６の奥端面と左右のガイド溝３の奥端面とは略同一面になっている。
【００３０】
左右の係合蟻溝６は外側方に向けて開口されている。つまり右側の係合蟻溝６の溝開口部６１は右側の側面部分に形成されて開口し、左側の係合蟻溝６の溝開口部６１は左側の側面部分に形成されて開口している。それぞれの溝開口部６１は上下間で開いており、上下間の開口幅はその内部の溝幅より狭い蟻溝になっていて、溝内に係合された気管内チューブａが簡単にこの係合蟻溝６から外れないようになっている。
【００３１】
左右の係合蟻溝６の開口幅より内部溝幅が広い内部側は、例えば上下回りの略円弧状に形成されていて、その内周側面には滑り止めのための小突起６２が内周回りに複数個形成されている。各小突起６２は円弧状に形成されていて、これらの小突起６２が係合蟻溝６内に係合された気管内チューブａの表面の一部を押止することで、気管内チューブａが係合蟻溝６から簡単に外れないようになっている。
【００３２】
舌抑制片７は、口内の舌ｃの動きを抑制して口内の気管内チューブａや吸引カテーテルｂの動きを舌ｃによって妨げるのを防ぐもので、口内に挿入される筒状部材２の先端下部に前方斜め下向きに緩やかに曲がる形状に形成されている。舌抑制片７は例えば合成樹脂製のものから造られていて、筒状部材２の先端下部に一体成形されており、一体化されている。
【００３３】
舌抑制片７は、筒状部材２の先端下部から前方に向けて突出しながら緩やかな弧状を描きながら下向きに曲がった状態に形成されている。舌抑制片７の先端側の上下端及び左右両端は丸みを帯びた形状に形成されていて、口内を傷つけない構造になっている。同様に、舌抑制片７が前方に向けて突出するように形成された筒状部材２の先端の上部側は後方側に向けて傾斜するような構造に形成されていて、筒状部材２の先端上部が口内の上側内面に当たって傷つけることがないようになっている。
【００３４】
舌抑制片７は、口内に筒状部材２の先端側が挿入されたとき、下向きに緩やかに曲がる舌抑制片７の下面が舌ｃの上側に当接して上側から押さえるような状態となり、舌ｃが口内で自由に動くのを抑制して口内の気管内チューブａや吸引カテーテルｂの動きを舌ｃが妨げるのを防ぐようにしたものである。このため、舌抑制片７の下向きに緩やかに曲がる形状は、側面からみたときの口内での舌ｃの表面側の形状に似せている。
【００３５】
次に、上記発明を実施するための形態の構成に基づく気管内チューブ保護器の使用について以下説明する。
【００３６】
先ず口から気管内チューブａを入れて喉を通して体内に挿入する。気管内チューブａの所定箇所への挿入が済んだ後、気管内チューブａが動いたり、誤って歯で噛んだりすることがないように、この気管内チューブａを保護するために、口内に気管内チューブ保護器１を入れる。
【００３７】
気管内チューブ保護器１の筒状部材２の先端側を口内に挿入する。このとき、既に口内に挿入している気管内チューブａを筒状部材２の左右の何れかのガイド溝３に沿わせるようにしながら筒状部材２の先端側を挿入する。下向きに緩やかに曲がる舌抑制片７の下面は舌ｃの上側に当接することになる。
【００３８】
口内に気管内チューブ保護器１の筒状部材２の先端側が挿入されたとき、下向きに緩やかに曲がる舌抑制片７の下面が舌ｃの上側に当接して上側から押さえるような状態となり、舌ｃが口内で自由に動くのを舌抑制片７は抑制する。舌ｃの自由な動きが抑制されるので、動く舌ｃによって誤って気管内チューブａや吸引カテーテルｂを動かすことがない。
【００３９】
筒状部材２の先端側を口内の丁度よい位置に挿入した後、使用者は上下の歯で筒状部材２の上下両面を噛んで、動かないようにする。また、片手で筒状部材２の口より外側に出ている筒状部材２の線状小突起４を片手で握って前後に動かないようにする。口から外側に出ている気管内チューブａの一部を前部及び後部ストッパー突起片５１、５２の側面に形成された前後の係合蟻溝６の各溝開口部６１からその内部にそれぞれ押し込んで係合させる。
【００４０】
気管内チューブａの一部を前後の係合蟻溝６に係合させた後、体内に挿入している気管内チューブａが前後に動いたりしないように、歯と片手で口内に動かないように固定されている筒状部材２の側面に粘着テープを使って固定する。前部及び後部ストッパー突起片５１、５２の側面に形成された前後の係合蟻溝６の間の部分に位置する気管内チューブａの外側の側面を粘着テープで押さえるようにして、前後の係合蟻溝６の間の側周面回りに粘着テープを何度も巻いて、筒状部材２のガイド溝３に沿って取り付けられている気管内チューブａを筒状部材２に固定する。
【００４１】
これで、気管内チューブａは筒状部材２と一体なり、筒状部材２を口内で動かさない限り、体内に挿入した気管内チューブａが体内から抜け出ることはなく、気管内チューブａはこの気管内チューブ保護器１によって安定した状態で保護されることになる。
【００４２】
また、緊急時に吸引カテーテルｂを体内に挿入して体内の異物を吸引する必要が生じた場合には、筒状部材２の中央に穿設された貫通孔２１を利用して吸引カテーテルｂを体内に挿入する。挿入は、吸引カテーテルｂの先端を貫通孔２１に差し込んで徐々に押し込むことで吸引カテーテルｂは喉を通って体内に挿入される。
【００４３】
なお、この発明は上記発明を実施するための形態に限定されるものではなく、この発明の精神を逸脱しない範囲で種々の改変をなし得ることは勿論である。
【符号の説明】
【００４４】
１    気管内チューブ保護器
２    筒状部材
２１    貫通孔
３    ガイド溝
４    線状小突起
５    ストッパー突起片
５１    前部ストッパー突起片
５２    後部ストッパー突起片
５２ａ  縦溝
５２ｂ  横溝
６    係合蟻溝
６１    溝開口部
６２    小突起
７    舌抑制片
ａ    気管内チューブ
ｂ    吸引カテーテル
ｃ    舌
【図１】
2012024393.tif 000003
【図２】
2012024393.tif 000004
【図３】
2012024393.tif 000005
【図４】
2012024393.tif 000006
【図５】
2012024393.tif 000007
【図６】
2012024393.tif 000008
【図７】
2012024393.tif 000009